(57)【要約】【課題】棚柱の正面板部から棚受け取付用孔を一掃したから、陳列体裁が向上し、且つ棚柱の強度が保持されると共に、棚柱取付孔を任意の位置に配備し得る陳列棚の支持構造を提供する。【解決手段】側面板部１２に複数の取付用切欠き部１４を上下方向へ一定間隔を開いて設けた棚柱１と、この棚柱１の取付用切欠き部１４に係脱可能に係止すると共に、棚柱１の正面板部１１側から棚板支承部２２が突出する棚受け２とから成ることを特徴とする。【選択図】　　　　　図１
2004000367.tif 000002
【特許請求の範囲】
【請求項１】
側面板部に複数の取付用切欠き部を上下方向へ一定間隔開いて設けた棚柱と、この棚柱の取付用切欠き部に係脱可能に係止すると共に、棚柱の正面板部側から棚板支承部が突出する棚受けとから成る陳列棚の支持構造。
【請求項２】
上記棚受けは、棚柱の正面板部に接面する垂直板部と、垂直板部から直角方向へ突出する棚板支承部と、垂直板部に連続し棚柱の側面板部に接面する側板部と、側板部に連続し垂直板部に平行する廻込み係止部とから成り、廻込み係止部の嵌合凹部が取付用切欠き部の係止段部に嵌合係止することを特徴とする請求項１記載の陳列棚の支持構造。
【請求項３】
上記棚受けは、棚板支承部を中心として上側と下側にそれぞれ対称状の側面板部と廻込み係止部とを設け、天地可逆的に使用し得ることを特徴とする請求項１又は請求項２記載の陳列棚の支持構造。
【請求項４】
上記棚柱は、一側面板部にのみ取付用切欠き部を設けたことを特徴とする請求項１記載の陳列棚の支持構造。
【請求項５】
上記棚柱は、一側面板部と他側面板部の両方に取付用切欠き部を設けたことを特徴とする請求項１記載の陳列棚の支持構造。
【発明の詳細な説明】
【０００１】
【発明の属する技術分野】
この発明は、陳列棚の支持構造に関する。
【０００２】
【従来の技術】
図８は、従来の陳列棚の支持構造を示す説明図である。
陳列棚の支持構造は、棚柱１と、棚柱１に取付けられる棚受け２と、棚受け２に載置される棚板３とから成る。
【０００３】
棚柱１は、正面板部１１と、正面板部１１の両側辺に側面板部１２、１３をもつ断面「コ」字状の角形状に形成され、正面板部１１の面内に上下方向へ一定間隔を開いて多数の取付孔１７を開口している。
【０００４】
前記棚受け２は、水平状支承片２８と、この支承片２８の先端に連続する傾斜片２９とから成り、支承片２８の先端に引掛け部２８ａを設けると共に、傾斜片２９の先端に挿込み係止部２９ａを設けている。
【０００５】
棚柱１の複数の取付孔１７から任意高さの取付孔１７を選択して棚受け２を取付ける。つまり、引掛け部２８ａを上側位置の取付孔１７に挿入して掛止させ、挿込み係止部２９ａを直下に位置する下側の取付孔１７に挿し込み係止させる。
【０００６】
棚受け２は、板バネ状態で係着され、この状態において支承片２８は水平状が保持される。この水平状支承片２８に棚板３が載置され、棚板３上面に各種陳列品が乗せ置かれる。
【０００７】
【発明が解決しようとする課題】
従来の陳列棚の支持構造では、棚柱の正面板部に複数の取付孔が開設してある。棚柱の正面板部は、目線が最も集まり易い位置である。この正面板部の面内に取付用の窓孔が多数縦列している状態は、陳列体裁が極めて悪い。従って、現在は図９で示すように、不用の取付孔１７に目隠し１７ａを取付けることが行われている。
【０００８】
更に、正面板部の面内に多数の取付孔を開設すると、棚柱自体の耐荷重性が極端に低くなる。このため、耐荷重強度を保持するために断面「コ」字状の棚柱自体の厚みを厚く設定する必要があり、製造原価高騰の一因となる不利があった。
【０００９】
また、図９で示すように、棚柱１の正面板部１１の面内には、棚柱自体を壁面Ｃに取り付けるための柱取付用皿孔１Ａが適所に設けられている。この取付用皿孔１Ａは、多数縦列される棚受け取付孔１７間に配備される。
【００１０】
この結果、取付用皿孔１Ａに対しビスＢをネジ込み、棚柱１を壁面Ｃに固定すると、取付用皿孔１Ａの直下の取付孔１７に支承片（引掛け部２８ａ）２８を挿入する際、ビス（皿孔１Ａ）Ｂが障害となり、この直下の取付け孔１７を選択使用し得ない不利があった。
【００１１】
この発明は、以上のような課題を解消させ、棚柱の正面板部から棚受け取付用孔を一掃したから、陳列体裁が向上し且つ棚柱の強度が保持されると共に、棚柱取付孔を任意の位置に配備し得る陳列棚の支持構造を提供することを目的とする。
【００１２】
【課題を解決するための手段】
この目的を達成させるために、この発明の陳列棚の支持構造では次のような構成としている。
陳列棚の支持構造は、側面板部に複数の取付用切欠き部を上下方向へ一定間隔開いて設けた棚柱と、この棚柱の取付用切欠き部に係脱可能に係止すると共に、棚柱の正面板部側から棚板支承部が突出する棚受けとから成ることを特徴とする。
【００１３】
このような構成を有する陳列棚の支持構造では、棚柱の正面板部には棚受け取付け用の孔が存在しない。棚受け取付用切欠き部は、棚柱の一側面板部に設けられている。この棚柱の一側面板部は、最も視認し難い位置であり、陳列上の美麗な外観体裁を向上させ得る。
【００１４】
また、棚柱の正面板部に多数の取付用孔を設けない構造であるため、厚みが薄い棚柱であっても十分な強度が保持できる許かりでなく、棚柱の取付用孔（皿孔）を正面板部の面内の自在な位置に設定し得ると共に、棚柱取付孔の直下位置に棚受け（棚板支承部）を位置させ得る。
【００１５】
【発明の実施の形態】
以下、図面に基づき本発明に係る陳列棚の支持構造の具体的な実施の形態を説明する。
図１は、陳列棚の支持構造の具体的な実施の形態を示す説明図である。
この陳列棚の支持構造は、棚柱１と、棚柱１に取付られる棚受け２と、棚受け２に載置される棚板３とから成る。
【００１６】
棚柱１は、正面板部１１と、正面板部１１の一辺に連続して屈曲する一側面板部１２と、他辺に連続して屈曲する他側面板部１３とから成り、断面「コ」字状の長尺な角形状柱に形成される。
【００１７】
図２で示すように、棚柱１の一側面板部１２に、後述する棚受け２を取付ける取付用切欠き部１４を設けている。
取付用切欠き部１４は、一側面板部１２の面内を切り欠き状に形成され、上下方向へ一定間隔を開いて複数、切り欠き形成されている。
【００１８】
前記棚受け２は、図２及び図３で示すように、棚柱１の正面板部１１に接面する垂直板部２１と、垂直板部２１から直角方向へ突出する棚板支承部２２と、垂直板部２１に連続し棚柱１の一側面板部１２に接面する側板部２３と、側板部２３に連続し垂直板部２１に平行する廻込み係止部２４とから構成される。
【００１９】
前記垂直板部２１は、具体的な実施の形態では、棚板支承部２２を挟む上半部２１ａと下半部２１ｂとから成る。つまり、短冊状の矩形平板を長手方向に４等分し、中央の２突出部分を重合させて水平状の棚板支承板部２２に設定し、支承板部２２の上側を上半分２１ａに、下側を下半部２１ｂに設定している。この上半分２１ａ及び下半部２１ｂの裏面が、棚柱１の正面板部１１表面に接面する。
【００２０】
上記側板部２３（２３ａ）は、上半部２１ａと下半部２１ｂに、それぞれ設けられる。また、側板部２３は、上半部２１ａの上辺と面一で、且つ上半部２１ａの長さ（高さ）より短く設定してある。更に、側板部２３ａは下半部２１ｂの下辺と面一で、且つ下半部２１ｂの長さ（高さ）より短く設定してある。
【００２１】
この側板部２３は、上半部２１ａの一側辺に直角状に連続し、側板部２３ａは下半部２１ｂの一側辺に直角状に連続して、それぞれ内面が一側面板部１２に接面する。
【００２２】
前記廻込み係止部２４（２４ａ）は、上側の側板部２３と下側の側板部２３ａとに、それぞれ設けられる。廻込み係止部２４は、側板部２３の先端部から直角状に連続し、廻込み係止部２４ａは側板部２３ａの先端部から直角状に連続して、それぞれ垂直板部（上半部２１ａ、下半部２１ｂ）２１に平行している。
【００２３】
図３で示すように、廻込み係止部２４（２４ａ）には、側板部２３（２３ａ）の先端部側に、上・下を面内内向きに切り欠いて、それぞれ上・下に嵌合凹部２５、２６、２５ａ、２６ａが設けてある。
【００２４】
図３及び図４で示すように、棚受け２を棚柱１に取付けると、上記一側面板部１２の切欠き部１４の係止段部（切欠き下面）１４ａに嵌合凹部２６が嵌着する。そして、この上側の切欠き部１４の直下に位置する下側の切欠き部１４の係止段部１４ａに嵌合凹部２６ａが嵌着するように設定してある。
【００２５】
この状態において、廻込み係止部２４は切欠き部１４を挿通し、正面板部１１の裏面と平行状に位置している。また、嵌合凹部２６（２６ａ）と係止段部１４ａとの係止点（嵌着部分）が、支点となって棚受け２が固定支承される。
【００２６】
図５は、棚柱１の他側面板部１３に取付用切欠き部１４がある場合の棚受け２の取付け状態を示している。
図１で示す棚柱１には、右側面（一側面板部１２）に取付用切欠き部１４が設けてある。図示はしないが、対向側の棚柱１は天地を逆向きに使用する。従って、左側面（他側面板部１３）に取付用切欠き部１４が位置する。
【００２７】
この対向側の棚柱１に棚受け２を取付ける際は、棚受け２を天地を逆向きとすることで兼用し得る。つまり、側板部２３ａ、２３が他側板部１３に接面し、嵌合凹部２５ａが切欠き部１４の係止段部１４ａに嵌着し、直下の切欠き部１４の係止段部１４ａに嵌合凹部２５が嵌着して、棚受け２が固定支承される。
【００２８】
上記、実施の形態においては、図２で示すように、廻込み係止部２４（２４ａ）を備える上下が対称状の側板部２３（２３ａ）を、垂直板部２３の一辺側にのみ設けた例を示したが、実施に際しては垂直板部２３の両側辺に、それぞれ上下が対称状となる側板部２３（２３ａ）を設けても良い。この場合、棚柱１は両側面板部１２、１３にそれぞれ取付用切欠き部１４、１４を設けることで、棚受け２が両手持ちとなり一層、強固に支持される。
【００２９】
図６及び図７は、棚受け２の他の実施の形態を示している。
先の実施の形態（図２）では、棚受け２の側板部２３（２３ａ）は、上半部２１ａ（下半部２１ｂ）よりも高さを短く設定したが、この実施の形態では側板部２３の下端を上半部２１ａの下端部とほぼ同じ長さに設定する。また、側板部２３ａの上端を下半部２１ｂの上端部とほぼ同じ長さに設定する。
【００３０】
そして、この伸ばした延長部分を内向きに突出（膨出）する側面押え部２７（２７ａ）に設定する。これにより、図７で示すように、この側面押え部２７（２７ａ）が一側面板部１２を押圧することとなり、嵌合凹部２６（２６ａ）と係止段部１４ａとの嵌着が一層強固となる。更に、この押圧力が垂直板部２１と正面板部１１との接面を強く保持することとなる。
【００３１】
このような構成を有する陳列棚の支持構造では、図２で示すように、棚柱１の正面側から棚受け２を取付ける。図３で示すように、廻込み係止部２４、２４ａを、任意高さ位置の上下に連続する取付用切欠き部１４、１４を選択し、これに対応位置させ挿通させた状態で下方へ降下させる。これにより、嵌合凹部２６が上側の切欠き部１４の係止段部１４ａに、嵌合凹部２６ａが下側の切欠き部１４の係止段部１４ａに嵌着係止する（図４参照）。
【００３２】
この状態において、垂直板部（上半部２１ａ、下半部２１ｂ）２１の裏面が正面板部１１の表面に接面し、且つ正面板部１１の表面（垂直板部２１の長さ中央部）から水平状の棚板支承部２２が前方へ突出する状態が固定される（図１参照）。
【００３３】
これにより、棚柱１の正面板部１１には、数少ない柱取付用皿孔１５が目視し得るだけで、一側面板部１２の切欠き部１４は全く外観し得ないから、陳列体裁が頗る良好となる。
【００３４】
尚、正面板部１１の表面に不透明なフィルムを重合させ、棚受け（垂直板部２１と正面板部１１との接面間）２で重合状態を固定することも可能である。この場合、柱取付用皿孔１５の存在も外観し得ず、一層陳列体裁を向上できる。
【００３５】
棚柱１の一側面板部１２に取付用切欠き部１４を設けたから、切り欠き面積が正面板部１１に設ける窓孔に比し、開口面積が少なくて済む。従って、耐荷重性が低下しないから、棚柱１の厚みを厚く設定する必要がなく製造原価を安価となし得る。
【００３６】
また、棚受け２は棚板支承部２２を挟んで、上側の側板部（廻込み係止部２４）２３、下側の側板部（廻込み係止部２４ａ）２３ａを対称状に設定したから、天地を可逆に使用できる。従って、右側面（一側面板部１２）に切欠き部１４を設けた棚柱２は勿論、左側面（他側面板部１３）に切欠き部１４を設けた棚柱２にも兼用し得る（図５参照）。
【００３７】
更に、棚受け２は垂直板部（上半部２１ａ、下半部２１ｂ）２１の両側辺に、側面板部（廻込み係止部２４、２４ａ）２３、２３ａを設けることができる。この場合は、左右両側の側板部（廻込み係止部２４、２４ａ）２３、２３ａが、棚柱２の左右両側面板部１２、１３の切欠き部１４、１４に嵌合係止することとなり、両手持ちとなって棚受け２が一層強固に支持される。
【００３８】
【発明の効果】
この発明では、以上のように、側面板部に複数の取付用切欠き部を上下方向へ一定間隔開いて設けた棚柱に対し、棚柱の取付用切欠き部に係脱可能に係止すると共に、棚柱の正面板部側から棚板支承部が突出する棚受けを支持させる構造としたから、棚柱の正面板部から外観体裁の悪い目障りな取付用孔を一掃できた。これにより、陳列状態の外観体裁を向上し得る。
【００３９】
更に、棚柱の正面板部から取付用孔を一掃し得たから、棚柱固定用孔を自在位置に設定し得ると共に、棚柱固定用孔による棚受けの設定位置が制限されない許かりでなく、棚柱の耐荷重性を保持し得る等、安価で便宜な棚支持構造を提供し得る。
【００４０】
また、棚受けは上下を対称状に設定したから、天地を逆向きに使用し得、単一の棚受けで棚柱の左右いずれの側面の切欠き部にも係合嵌着し得、兼用的に使用できるなど、発明目的を達成した優れた効果を有する。
【図面の簡単な説明】
【図１】実施の形態の陳列棚の支持構造を示す斜視図である。
【図２】棚受けと棚柱を分離させた状態を示す斜視図である。
【図３】棚受けを棚柱に取付けた状態を示す斜視図である。
【図４】棚受けを棚柱に取り付けた状態を示す裏面図である。
【図５】対向側の棚柱に天地を逆にした棚受けを兼用した状態を示す斜視図である。
【図６】棚受けの側板部に側面押え部を設けた例を示す説明斜視図である。
【図７】側面押え部が一側面板部を押圧する状態を示す説明図である。
【図８】従来の陳列棚の支持構造を示す斜視図である。
【図９】従来の陳列棚の支持構造を示す説明断面図である。
【符号の説明】
１　　　棚柱
２　　　棚受け
３　　　棚板
１１　　正面板部
１２　　一側面板部
１３　　他側面板部
１４　　取付用切欠き部
１４ａ　係止段部
２１　　垂直板部
２２　　棚板支承部
２３　　側板部
２４　　回込み係止部
２５　　嵌合凹部
２６　　嵌合凹部
２７　　側面押え部
【図１】
2004000367.tif 000003
【図２】
2004000367.tif 000004
【図３】
2004000367.tif 000005
【図４】
2004000367.tif 000006
【図５】
2004000367.tif 000007
【図６】
2004000367.tif 000008
【図７】
2004000367.tif 000009
【図８】
2004000367.tif 000010
【図９】
2004000367.tif 000011